(57)【要約】      （修正有）【課題】緊急場所に容易に運搬できる非常用照明装置を提供する。【解決手段】照明装置の先端部１０は基部１２に装着され、取り付け枠体１６内の光源１４を含む。基部１２は折り畳み可能で伸長する支持棒が装着されており、支持棒は携帯用ケース２２の外壁に装着されている。携帯用ケース２２には持ち運び用の持ち手２４，２６が設けられ、携帯用ケース２２の外壁に装備された照明装置の先端部に電力を供給するための電気コードの差し込みである電気コンセント３０が装備されている。携帯用ケース２２の内部には充電式電池を収納配置している。再充電は、１２Ｖの自動車用直流バッテリー、または、交流（ＡＣ）電源によって、充電される。持ち運び用の持ち手２６は伸延可能で、本体に格納することができる。携帯用ケース２２には移動を容易にする為に１組の滑車輪４８が装備されている。【選択図】図１
2008282800.tif 000002
【特許請求の範囲】
【請求項１】
基部に装着されて取り付け枠体内の光源を含む照明装置の先端部と、折り畳み可能で伸長する支持棒が装着された基部と、携帯用ケースの外壁に装着された支持棒と、照明装置を使用しない時の照明装置の先端部と折り畳み可能な支持棒を収納配置する持ち運び用の持ち手が設けられた携帯用ケースと、携帯用ケースの外壁に装備された照明装置の先端部に電力を供給するための電気コードの差し込みである電気コンセントと、充電式電池と充電用電池が収納配置する携帯用ケース内部と、照明装置の先端部に電力が供給されるように電気コンセントへ電力を供給する電池とからなることを特徴とする照明装置。
【請求項２】
前記支持棒は、構成部品から成り、伸長または分解が可能であり、構成部品それぞれが相互に伸縮自在に形成され、解除可能なロックよって異なる長さで適宜に固定されることを特徴とする請求項１記載の照明装置。
【請求項３】
ケースの外側に支持棒を固定するために少なくとも１つの連結部材が取り付けられていることを特徴とする請求項１記載の照明装置。
【請求項４】
支持棒の先端に照明装置の先端部を固定するために少なくとも１つの連結部材が取り付けられていることを特徴とする請求項１記載の照明装置。
【請求項５】
支持棒の先端に照明装置の先端部を固定するために第２の連結部材が取り付けられていることを特徴とする請求項１記載の照明装置。
【請求項６】
伸延可能で、本体に格納することができ、格納状態で、基本的にケースの周辺空間内に収納可能な持ち運び用の持ち手が取り付けられていることを特徴とする請求項１記載の照明装置。
【請求項７】
ケースの移動を容易にする為の１組の滑車輪が取り付けられていることを特徴とする請求項１記載の照明装置。
【請求項８】
取り付け枠体内の光源は、照明装置の先端部と複数のＬＥＤライトのパネルからなることを特徴とする請求項１記載の照明装置。
【請求項９】
光源は、伸縮自在の支持棒に取り付けられており、支持棒はケースの側面か蓋か上面に取り付け可能であり、ケースの内部には電池と、１２Ｖの自動車用直流バッテリー、または、１１０交流（ＡＣ）電源によって充電される充電器が装備されていることを特徴とする請求項８記載の照明装置。
【請求項１０】
ＬＥＤライトパネルは、連結式（articulating）照明パネルであり、ケースの側面か蓋か基部に１または多数の電源出力コンセントがあり、ケースは比較的に水や塵に対する耐久性の強いプラスチックを使用しており、ケースの可動部材間には耐久性を促進するために密封が施されていることを特徴とする請求項８記載の照明装置。
【請求項１１】
ケースには、移動を容易にする為の滑車輪と伸延可能な持ち手が装備されていることを特徴とする請求項１０記載の照明装置。
【請求項１２】
ケースには、仕切が設けられており、各仕切は、照明装置、照明装置の他の接続構成部品を収納できるように形成されていることを特徴とする請求項１０記載の照明装置。
【請求項１３】
基部に装着されて取り付け枠体内の光源を含む照明装置の先端部と、折り畳み可能で伸長する支持棒が装着された基部と、携帯用ケースの外壁に装着された支持棒と、照明装置を使用しない時の照明装置の先端部と折り畳み可能な支持棒を収納配置する持ち運び用の持ち手が設けられた携帯用ケースと、携帯用ケースの外壁に装備された照明装置の先端部に電力を供給するための電気コードの差し込みである電気コンセントと、充電式電池と充電用電池が収納配置する携帯用ケース内部と、照明装置の先端部に電力が供給されるように電気コンセントへ電力を供給する電池と、構成部品から成り伸長または分解が可能であり構成部品それぞれが相互に伸縮自在に形成され解除可能なロックよって異なる長さで適宜に固定できる支持棒と、ケースの外側に支持棒を固定するために少なくとも１つの連結部材が取り付けられていることを特徴とする照明装置。
【請求項１４】
伸延可能で、本体に格納することができ、格納状態で、基本的にケースの周辺空間内に収納可能な持ち運び用の持ち手が取り付けられていることを特徴とする請求項１３記載の照明装置。
【請求項１５】
ケースの移動を容易にする為の１組の滑車輪が取り付けられていることを特徴とする請求項１４記載の照明装置。
【請求項１６】
取り付け枠体内の光源は、照明装置の先端部と複数のＬＥＤライトのパネルからなることを特徴とする請求項１５記載の照明装置。
【請求項１７】
光源は、伸縮自在の支持棒に取り付けられており、支持棒はケースの側面か蓋か上面に取り付け可能であり、ケースの内部には電池と、１２Ｖの自動車用直流バッテリー、または、１１０交流（ＡＣ）電源によって充電される充電器が装備されていることを特徴とする請求項１６記載の照明装置。
【請求項１８】
ＬＥＤライトパネルは、連結式（articulating）照明パネルであり、ケースの側面か蓋か基部に１または多数の電源出力コンセントがあり、ケースは比較的に水や塵に対する耐久性の強いプラスチックを使用しており、ケースの可動部材間には耐久性を促進するために密封が施されていることを特徴とする請求項１７記載の照明装置。
【発明の詳細な説明】
【技術分野】
【０００１】
技術分野
【０００２】
本発明は、持ち運び可能な照明装置とケースに関し、特に使用していない時の保管と持ち運びを考慮した照明装置とケースに関する。
【背景技術】
【０００３】
背景技術
【０００４】
持ち運び可能な照明装置は、非常時のみならず、建築現場、工場、自動車工場、車体修理工場、アーティストのアトリエ、撮影所、そして家の周りの日曜大工をするような様々な場面で利用されている。これらの照明装置は、広域にわたり高水準の照明を提供している。照明装置は、一般的に、組み込み（内蔵）式の支持スタンドによって、低い位置である床または作業表面の安定した位置に設置されるか、または、作業表面から離れた高い位置からも照らせるように棒状体または伸延可能な棒を直立状態で安定させる為に低い位置にセットされる。
【０００５】
緊急場所に容易に運搬できる非常用照明装置が必要とされている。また、特定の事業、例えば建設現場においては、照明装置は一般に必須の装備品（付属物）と多くには考えられている。
【０００６】
照明装置の格納と輸送（例えば小型トラックの荷台での輸送）または、照明装置の保管については、好ましからざる消耗と損傷または、破損の可能性を回避できる状態が必要である。既知の照明装置には、ケースの中に収納され、ケースの中に収容する為に照明装置が分解されていることがある。しかし、これでは効率的でなくかつ効果的でもない。
【０００７】
持ち運び可能な照明装置については、ケースが小型であり、組み立てられ易く、安全に収納でき、そして再組み立てが容易な装置であることが必要であり、また、使用にあたっては、遠くに離れた場所や様々な場所への持ち運びが容易であることが求められている。
【発明の概要】
【０００８】
ここでは、照明装置と、照明装置の保管および持ち運びの為のケースが提示される。ケース本体には、照明装置を取り付ける伸延可能な支持棒のための取り付け基盤が装備されている。充電式電源は、ケースの中に備え付けられており、取り外し可能な電気コードがケースと光源とを接続し、その結果、光源に電気が供給される。
【０００９】
ケースと照明装置は、複雑に分解される必要はなく、照明装置を使用しようとする前にケースに保管されている構成部品を組立てる。照明装置は、ケースの中に収納する前に、照明装置を分解しないか、ほとんど必要ないように形成されている。伸縮自在の支持棒を使用する照明装置のために、支持棒は、
基本的に照明装置とは分離されてケースの中に都合よく配置されている。
これは、使用者に、照明装置を少しのまたは全く組立の必要なく使用できる状態でケースから取り出すことができ、また、すばやくかつ都合よくケースに収納する事ができるという大きな利便性を提供する。さらに、装置一式は、運搬中に照明装置の先端部部分を損傷から守る状態でケースの中に保管される。
【００１０】
ケースには、個々の照明装置の先端部を保護するための１または１以上の区画または仕切りの設けられた部分がある。区画や仕切られた部分は、照明装置の先端部が安全な場所に収納されるようにケースの下部または上部に設けられている。これらは、ケースの中に１または１以上あり、安全に保管する事ができる収納（アンカー）部分である。上部または下部に位置する様々な表面部分は、照明装置の先端部を基部から分離する必要がないように、基部のための余裕のスペースを設けるように形成されている。さらに、残余のスペースが、伸縮支持棒とコードを収納するのに残されている。この配置は、高熱を発生するＬＥＤライトパネルと高電圧ハロゲンライトにとって、特に望ましい。
【００１１】
開示のその他の特徴、利点、新規の機能、特性は、以下に記載するか、若しくは以下の明細書、実施態様を表示した図面から当業者にとっては容易に明らかであろう。
【図面の簡単な説明】
【００１２】
図１は、蓋部に照明装置が取り付けられたケースの全体を示す図である。ケースは垂直に配置されており、伸延された持ち手と滑車輪が示されている。電気ケーブルは、ケースの側面の電気コンセントに接続されている。
【００１３】
図２は、蓋部に照明装置が取り付けられたケースの全体を示す図であり、伸延方向が異なり、ケースは水平方向に伸びている基盤の上に置かれている。ケースは、滑車輪と照明器具に接続された電気ケーブルを示している。
【００１４】
図３は、開示技術のケースの実施例の開いた状態を示した図であり、充電式電池と、支持棒の収納場所と、支持棒やケースの様々な構成部品の連結具の収納場所を示している。
【００１５】
図４は、光源の全体と、その取り付け基部を示した図である。
【発明の詳細な説明】
【００１６】
照明装置は、照明装置の先端部１０が基部１２に装着されている。照明装置の先端部１０は、取り付け枠体１６内の光源１４からなる。基部１２には、折り畳み可能で伸長する支持棒１８が装着されており、支持棒１８は、携帯用ケース２２の蓋部２０の外側に装着されている。
【００１７】
携帯用ケース２２は、照明装置を使用しない時の照明装置の先端部１０と折り畳み可能な支持棒１８と他の周辺構成要素を収納配置する。携帯用ケース２２にはいくつかの持ち運び用の持ち手２４，２６，１８が設けられている。照明装置の先端部１０に電力を供給するための電気コード３６の差し込みである２つの電気コンセント３０と３２が携帯用ケース２２の側壁面３４に装備されている。電気コード３６の長さは、８〜１２フィートくらいが一般的である。
【００１８】
携帯用ケース２２は基台３８と蓋部２０とからなる。携帯用ケース２２の内部は、充電式電池４０と、充電用の電池を収納配置し、照明装置の先端部１０に電力が供給されるように電気コンセント３０、３２へ電力を供給する。  
【００１９】
支持棒１８は、構成部品１８ａ、１８ｂ、１８ｃ、１８ｄ、１８ｅ、１８ｆとから成り、支持棒１８は伸長または分解ができるように、構成部品それぞれが相互に伸縮自在に形成されている。支持棒の部分は解除可能なロック４０よって異なる長さで適宜に固定される。支持棒部分は分解された状態では携帯用ケース２２の内部に収納される。
【００２０】
少なくとも１つの連結部材４２は、支持棒１８をケース２２の蓋部２０の外側に固定する。連結部４４は、蓋部２０の外側に取り付けられている。連結のための部材４２と連結部４４とは、連結するための部材４２と４４の角度が変えられる関係にある。また、使用形態の１つとして示すように、ケースを横たえて基盤が地面の上になるようにした場合、照明装置は垂直に伸延することができる。別の使用形態として示すように、ケースの端面を地面に横たえて使用した場合も照明装置は垂直に伸延することができる。照明装置である先端部１０を支持棒１８の先端に固定する連結具４６も存在する。
【００２１】
持ち運び用の持ち手の１つである持ち手２６は、伸延可能であり、ケース２２の本体に格納することができる。格納状態で、基本的にケース２２の一般的に周辺空間内に納まる。ケース２２は、１組の滑車輪４８を装備しており、滑車輪４８はケース２２の移動を容易にする為の装備である。
【００２２】
取り付け枠体１６の中の光源１４は、照明装置の先端部１０と複数のＬＥＤライト５０のパネルとからなり、鋳造アルミニウム放熱板５２の中に取り付けられている。ＬＥＤライト５０のパネルは、連結式（articulating）照明パネルである。光源１４は、伸縮自在の支持棒１８に連結要素４６によって取り付けられている。
【００２３】
別の実施態様では、支持棒１８の他端はケース２２の側面か蓋か上面に取り付ける事ができる。
【００２４】
ケース２２の内部には電池５６と、１２Ｖの自動車用直流バッテリーまたは、供給源か１１０交流（ＡＣ）電源によって、充電される充電器５８が装備されている。
【００２５】
ケース２２は、比較的に水や塵に対する耐久性の強いプラスチックを使用しており、ケース２２の可動部材間には耐久性を促進するために密封が施されている。
【００２６】
ケース２２には、定められた部屋部分や区画や仕切６０、６２がケース２２の下部と上部のそれぞれに設けられている。それぞれの定められた区画・部屋部分・仕切６０、６２は、照明装置の先端部１０、照明装置の他の接続構成部品または支持棒１８をそれぞれ収納できるように形成されている。
【００２７】
連結する部材４２、４４は、支持棒１８（１７）を簡便に取り付ける為、および、照明の調節を可能にする為、および、違う方向へ照明装置の向きを変える為、さらに、先端部の向けさせる為に取り付けられている。
【００２８】
支持部分は、照明装置から取り外し可能な、格納式で、伸延（テレスコープ）型の典型的な棒状体である。照明装置は、着脱自在にブラケットで支持棒に装着されており、ノブにより締めたり緩めたりできるアンカレジ（取り付け）が施されている。構造と取り付けに関しては、その他の多く構成が可能である。
【００２９】
ＬＥＤライトパネル５０が装備された基部に取り付けられた照明装置の先端部には、その最前部に照明装置のＬＥＤライト５０を保持するチャンバを覆う保護ガラス６４が装備されている。
【００３０】
照明装置の運搬用ケースには、照明装置の先端部１０が装備されるとともに、基部の支持部材１１が装備されている。箱体からなる電気コンセント３２（２３）がケースの側壁に取り付けられている。別個に２つのコンセントがあるが、１つは照明装置用に、他は別に電源が必要になったときに使用することができる。
【００３１】
照明装置の構成部品は、全く又はほとんど分解することなくケース２２に収納することができる。支持棒１８（１７）は、縮めたり分解可能な構造であり、機能上の長さの電気コード３６は、部屋部分の中または、ケースのアンカレッジと一緒に収納できる。
【００３２】
ケースは下部分と上部分とからなる。上部分は、従来通りの方法によりヒンジにより下部分に固着されている。一般的には、例えばヒンジ６６、６８のように、２または２以上のヒンジを使用するか、または、１つの伸張ヒンジ部材を用いる方法により上部分と下部分を互いに簡便な方法によって固着することができる。例えば、従来のヒンジ機構に代えて、いくつかの実施例では、離した時に上部が完全に分離するように、周端をクランプにより固着することも考えられる。
【００３３】
上部分と下部分とを結合し固着する特有な方法は、一般的に“hinged”(ヒンジ連結)と呼ばれている。
【００３４】
ケース２２の下部は、１または複数の部屋部分と、仕切と、区画部分６０とからなり、照明装置の先端部１０またはその他の支持構造部品を収納するように形成されている。
【００３５】
本件の開示によれば、一般的に下部分には、照明装置の先端部の為の１または複数の仕切があり、仕切は、照明装置（の先端部）が収納時に下部分に格納される場合、先端部が仕切の中に置けるように配備している。
【００３６】
支持棒１８は縮められた状態に形成され、上部の部屋部分６２の壁面に設けられた取り付け部７０によってケース２２の中に支持棒１８を格納する。十分な空間は、支持棒１８を格納するのに適し、ケース２２の中に固定する事ができる。ケース２２の内部には、照明装置の先端部１０と取り付け部７０とその他の取り付け部と連結具、電気コンセント３０，３２の内側部分と電気コード３６のための十分な空間がある。
【００３７】
管状部材１８ａから１８ｆは、ほぼ垂直に伸延し、照明装置の基部と、取り付け部が、伸延自在の支持棒１８に取り付けられ、その取り付け部７０によって照明装置はその位置で支えられる。
【００３８】
ケース２２の上部は、ケースの完全な構造を供給する為に、部分的に隆起した部分を形成している。同様に、側面部材も完全な構造を提供するようにしている。ケース２２の上部と下部の端は、ケースがぴったりと閉じるように、端を合わせた既知の方法である相互結合（締まりばめ）で形成されている。
【００３９】
開示された上記照明装置は、ＬＥＤライトと呼ばれる一般タイプのもので、それ以外のライトを使用することも可能である。他の例として、クオーツハロゲンライトでもよい。光源は、より長い寿命と、より大きな光源効率と、より高い色温度と、経年による照明劣化の少ない又はないものを提供すべきである。
【００４０】
ケース部分の経済的な製造は、一般的には一体構造の吹き込み成形による。しかしながら、いくつかの実施例では、部屋部分と仕切りを、別体として成形したケース２２の殻である下部または上部の中に嵌め込んで固定することも考えられる。
【００４１】
上記の記述と図面は、様々な具体例により開示された、いろいろな観点からの実施例を図示して提供するものである。また、本件の開示は、これらの実施例または図示に限定または制限されるものではない。
【００４２】
様々な改良と別な構成が可能である。開示された実施例から離れた様々なバリエーション（変更態様）は、以下に記述する特許請求の範囲によって定義される開示の範囲に含まれるものである。
【図１】
2008282800.tif 000003
【図２】
2008282800.tif 000004
【図３】
2008282800.tif 000005
【図４】
2008282800.tif 000006
【外国語明細書】
2008282800000001.pdf
2008282800000002.pdf
2008282800000003.pdf
2008282800000004.pdf